(57)【特許請求の範囲】
【請求項１】
入力した交流電圧を電圧調整するためのスライダックを備え、当該スライダックによって電圧調整された試験電圧を試験対象機器に供給する試験装置において、
前記試験電圧に対する規定電圧を設定する設定手段と、
前記設定手段によって前記規定電圧が設定されたときに当該規定電圧に対する所定比率の電圧範囲を所定電圧範囲として自動的に設定すると共に、前記試験電圧の電圧値が当該所定電圧範囲内か否かを監視して、前記試験電圧が当該所定電圧範囲を外れていると判別したときに報知手段に報知させる制御部とを備えていることを特徴とする試験装置。
【請求項２】
入力した交流電圧を電圧調整するためのスライダックを備え、当該スライダックによって電圧調整された試験電圧を試験対象機器に供給する試験装置において、
前記試験電圧に対する規定電圧を設定する設定手段と、
前記設定手段によって前記規定電圧が設定されたときに当該規定電圧に対する所定比率の電圧範囲を所定電圧範囲として自動的に設定すると共に、前記試験電圧の電圧値が当該所定電圧範囲内か否かを監視して、前記試験電圧が当該所定電圧範囲を外れたと判別したときに前記試験対象機器への前記試験電圧の供給を停止させる制御部とを備えていることを特徴とする試験装置。
【請求項３】
前記制御部は、前記試験電圧が前記所定電圧範囲を所定時間連続して外れたと判別したときに、前記試験電圧の前記試験対象機器への供給を停止させることを特徴とする請求項２記載の試験装置。
【請求項４】
前記試験電圧の電圧値を測定する測定部と、当該測定部によって測定された測定電圧を表示する表示部とを備えていることを特徴とする請求項１から３のいずれかに記載の試験装置。
【発明の詳細な説明】
【０００１】
【発明の属する技術分野】
本発明は、スライダックによって電圧調整された試験電圧を試験対象機器に供給して所定の試験を行う試験装置に関するものである。
【０００２】
【従来の技術】
いわゆる耐圧試験装置が従来から知られており、この耐圧試験装置では、試験対象機器の筐体とその交流入力端子との間に高電圧（例えば５ＫＶ）の試験電圧を所定時間継続して供給すると共に、その直後の状態における漏洩電流を測定する。この耐圧試験装置を用いた耐圧試験では、以下に述べる手順で行われる。まず、図３に示すように、試験対象機器に試験用プローブを接続する（ステップ３１）。次いで、試験用プローブに試験電圧を出力し、その状態で、試験電圧監視用電圧計を確認しつつスライダックを調整することにより、予め規定された規定電圧と等しい電圧となるように試験電圧を設定する（ステップ３２）。次に、試験電圧の出力を一旦停止する（ステップ３３）。続いて、試験開始スイッチを操作する（ステップ３４）。これにより、耐圧試験が開始される。この後、予め規定された、または任意に設定された試験時間を経過したときに（ステップ３５）、漏洩電流を測定して耐圧試験を終了する（ステップ３６）。この際には、漏洩電流が規定値未満のときには、試験対象機器を良品機器と判定し、漏洩電流が規定値以上のときには、試験対象機器を不良機器と判定する。
【０００３】
【発明が解決しようとする課題】
ところが、従来の耐圧試験装置には、以下の問題点がある。すなわち、従来の耐圧試験装置では、耐圧試験を実際に開始した際（ステップ３４）には、スライダックで予め電圧調整した試験電圧を試験対象機器に供給している。このため、スライダックのダイヤルに物が当たったり手が触れたりした場合、試験電圧が予め電圧調整した電圧からずれて所定電圧範囲（例えば、規定電圧に対して±３％の電圧範囲）から外れてしまうことがある。したがって、従来の耐圧試験装置には、正規な電圧ではない試験電圧で耐圧試験を行うことに起因して、試験対象機器の良否を誤判定する事態が生じるという問題点がある。また、試験電圧設定の際に、試験電圧監視用電圧計を確認しつつスライダックによって電圧調整しているため、試験電圧が誤って設定されることもあり、かかる場合には、試験電圧の誤設定に起因して、試験対象機器の良否を誤判定する事態が生じるという問題点もある。
【０００４】
本発明は、かかる問題点に鑑みてなされたものであり、正確な試験を行うことが可能な試験装置を提供することを主目的とする。
【０００５】
【課題を解決するための手段】
上記目的を達成すべく請求項１記載の試験装置は、入力した交流電圧を電圧調整するためのスライダックを備え、スライダックによって電圧調整された試験電圧を試験対象機器に供給する試験装置において、試験電圧に対する規定電圧を設定する設定手段と、設定手段によって規定電圧が設定されたときにその規定電圧に対する所定比率の電圧範囲を所定電圧範囲として自動的に設定すると共に、試験電圧の電圧値が所定電圧範囲内か否かを監視して、試験電圧が所定電圧範囲を外れていると判別したときに報知手段に報知させる制御部とを備えていることを特徴とする。
【０００６】
請求項２記載の試験装置は、入力した交流電圧を電圧調整するためのスライダックを備え、スライダックによって電圧調整された試験電圧を試験対象機器に供給する試験装置において、試験電圧に対する規定電圧を設定する設定手段と、設定手段によって規定電圧が設定されたときにその規定電圧に対する所定比率の電圧範囲を所定電圧範囲として自動的に設定すると共に、試験電圧の電圧値が所定電圧範囲内か否かを監視して、試験電圧が所定電圧範囲を外れたと判別したときに試験対象機器への試験電圧の供給を停止させる制御部とを備えていることを特徴とする。
【０００７】
請求項３記載の試験装置は、請求項２記載の試験装置において、制御部は、試験電圧が所定電圧範囲を所定時間連続して外れたと判別したときに、試験電圧の試験対象機器への供給を停止させることを特徴とする。
【０００８】
請求項４記載の試験装置は、請求項１から３のいずれかに記載の試験装置において、試験電圧の電圧値を測定する測定部と、測定部によって測定された測定電圧を表示する表示部とを備えていることを特徴とする。
【０００９】
【発明の実施の形態】
以下、添付図面を参照して、本発明に係る試験装置を耐圧試験装置に適用した実施の形態について説明する。
【００１０】
図１に示すように、耐圧試験装置１は、入力した交流電圧ＶACを所定電圧に電圧調整するためのスライダック１１と、スライダック１１によって電圧調整された交流電圧を昇圧する昇圧トランス１２と、交流電圧ＶACの入力端子およびスライダック１１の電圧入力端子１１ａ間に接点１３ａが接続されたリレー１３と、昇圧トランス１２の二次巻線１２ｂに直列接続されて漏洩電流ＩL を検出するためのシャント抵抗１４と、先端部に接続用クリップ１５ａがそれぞれ取り付けられて試験対象機器２に接続される試験用プローブ１５，１５とを備えている。また、耐圧試験装置１は、測定部２１、制御部２２、表示部２３、操作部２４、タイマ２５およびスピーカ２６を備えている。
【００１１】
測定部２１は、試験電圧としての出力端子１６ａ，１６ｂ間の電圧ＶD1、およびシャント抵抗１４の両端電圧ＶD2に基づく漏洩電流ＩL を測定する。制御部２２は、停止手段に相当し、本発明における監視手段に相当するコンパレータ回路２２ａを内蔵する。制御部２２は、測定部２１によって測定された試験電圧および漏洩電流ＩL の表示部２３への表示制御、試験電圧が所定電圧範囲を所定時間連続して外れた際のスピーカ２６に対する放音制御、およびリレー１３のオン／オフ制御などの各種の処理を実行する。表示部２３は、ＬＣＤパネルで構成され、耐圧試験の際の規定電圧、実際に試験対象機器２に供給されている試験電圧、測定された漏洩電流ＩL の電流値などを制御部２２の制御下で表示する。操作部２４は、本発明における設定手段に相当し耐圧試験の際の規定電圧などを入力するためのテンキー、試験開始スイッチ、および試験終了スイッチなどの各種の操作スイッチを備えている。タイマ２５は、耐圧試験の試験時間をカウントするためのものであって、制御部２２の制御下で、操作部２４における試験開始スイッチの操作時から例えば１分間を経過した時にタイマ信号ＳT を制御部２２に出力する。スピーカ２６は、本発明における報知手段に相当し、試験電圧が所定電圧範囲を所定時間連続して外れた際の警報音や、試験開始音および試験終了音などを制御部２２の制御下で放音する。
【００１２】
次に、耐圧試験装置１の全体的な動作について説明する。
【００１３】
まず、試験対象機器２に試験用プローブ１５，１５を接続する。次いで、操作部２４のテンキーによって規定電圧ＶS （例えば５ＫＶ）を設定する。この際には、制御部２２が、その電圧値（５ＫＶ）を表示部２３の規定電圧表示部２３ａに表示させる。次いで、試験開始スイッチを操作することにより、制御部２２が、リレー１３を制御して接点１３ａをオン状態に制御する。これにより、交流電圧ＶACの入力端子と、スライダック１１の電圧入力端子１１ａとが接続される。この際には、スライダック１１を介して入力された交流電圧ＶACが昇圧トランス１２によって昇圧されて試験対象機器２に供給される。この場合、測定部２１が、出力端子１６ａ，１６ｂ間の電圧ＶD1を測定して制御部２２に出力する。次いで、制御部２２が、その電圧ＶD1を試験電圧として、表示部２３の試験電圧表示部２３ｂに表示させる。
【００１４】
一方、オペレータは、試験電圧表示部２３ｂを監視しつつ、試験電圧が規定電圧と等しくなるようにスライダック１１を調整する。この場合、制御部２２内のコンパレータ回路２２ａは、測定部２１によって測定された電圧ＶD1が規定電圧表示部２３ａに表示されている規定電圧ＶS を中心とする所定電圧範囲（例えば規定電圧ＶS に対して±３％の電圧範囲、具体的には、図２において、電圧Ｖ2 〜Ｖ1 の電圧範囲）を外れているときに検出信号を生成する。なお、コンパレータ回路２２ａの所定電圧範囲は、規定電圧ＶS が設定された際に、制御部２２によって自動的に規定される。したがって、オペレータは、その所定電圧範囲の設定操作を行うことなく、規定電圧ＶS を設定するだけでよく、この後に行われる耐圧試験を迅速に開始することができる。一方、制御部２２は、コンパレータ回路２２ａから検出信号が出力されているときには、表示部２３の試験電圧状態表示部２３ｅ（本発明における報知手段に相当する）を点滅表示させ、検出信号が出力されていないときには、試験電圧状態表示部２３ｅを点灯表示させる。したがって、オペレータは、試験電圧状態表示部２３ｅの表示状態を確認することによって、試験電圧が所定電圧範囲内に正しく設定されたか否かを直ちに認識することができる。このため、試験電圧を確実かつ正確に所定電圧範囲内に設定することができる。
【００１５】
この後、オペレータによって試験終了スイッチが操作されると、制御部２２は、リレー１３をオフ状態に制御することにより、試験電圧の試験対象機器２への供給を停止する。続いて、試験開始スイッチが操作されると、制御部２２は、タイマ２５を作動させると共に、リレー１３をオン状態に制御する。これにより、耐圧試験が開始される。この後、制御部２２は、タイマ２５からタイマ信号ＳT が出力されるまでの間、測定部２１によって測定された電圧ＶD1を監視する。
【００１６】
この際に、制御部２２は、コンパレータ回路２２ａから検出信号が所定時間連続して出力されているときには、リレー１３をオフ状態に制御することにより、試験電圧の試験対象機器２への供給を停止させる。具体的には、制御部２２は、図２に示すように、試験開始の時間ｔ0 から試験電圧が規定電圧ＶS に立ち上がるまでに必要とされる時間ｔ1 までの短時間の間、コンパレータ回路２２ａから検出信号が出力されたときには、予め規定された所定時間よりも短い時間のため、リレー１３をオン状態に維持制御する。一方、時間ｔ2 の時点でスライダック１１に物が当たった際には、試験電圧が変動する。この際に、例えば、試験電圧が、時間ｔ3 の時点で所定電圧範囲（電圧Ｖ2 〜Ｖ1 の電圧範囲）を外れて低下したとすれば、その時点で、コンパレータ回路２２ａが検出信号を出力する。次いで、制御部２２は、予め規定された所定時間を経過した時間ｔ4 の時点でリレー１３をオフ状態に制御すると共に、表示部２３の試験状態表示部２３ｃに試験停止状態を表示させて報知する。また、制御部２２は、これと並行して、スピーカ２６から警報音を放音させる。これにより、オペレータは、試験電圧に異常が生じたことを直ちに認識することができると共に、誤った試験を回避することができる。
【００１７】
一方、試験開始後、コンパレータ回路２２ａから所定時間連続して検出信号が出力されずに、タイマ２５からタイマ信号ＳT が出力されたときには、制御部２２は、漏洩電流ＩL の測定を開始する。この際には、測定部２１が、シャント抵抗１４の両端電圧ＶD2を測定することにより、シャント抵抗１４を導通する漏洩電流ＩL の電流値を測定する。次いで、制御部２２が、測定された漏洩電流ＩL の電流値を表示部２３の電流表示部２３ｄに表示させた後、リレー１３をオフ状態に制御する。これにより、耐圧試験が終了する。
【００１８】
このように、この耐圧試験装置１では、コンパレータ回路２２ａの所定電圧範囲は、規定電圧ＶS が設定された際に、制御部２２によって自動的に規定される。したがって、この耐圧試験装置１によれば、オペレータは、その所定電圧範囲の設定操作を行うことなく、規定電圧ＶS を設定するだけでよく、この後に行われる耐圧試験を迅速に開始することができる。また、この耐圧試験装置１では、試験電圧が所定電圧範囲内を連続して所定時間外れたときには、制御部２２が耐圧試験を停止すると共に、その旨を表示部２３の試験状態表示部２３ｃに表示させる。したがって、誤った耐圧試験を回避することができるため、耐圧試験の信頼性を向上させることができる。また、試験電圧が所定電圧範囲を所定時間連続して外れたときにのみ耐圧試験を停止することにより、試験開始直後における試験電圧の立ち上がり時や、試験電圧が変動する試験電圧の設定時などにおいて、試験電圧の不要な供給停止を防止することができる。なお、耐圧試験開始後、所定時間を経過した後に試験電圧が所定電圧範囲を所定時間連続して外れたときに耐圧試験を停止するように構成することもできる。また、監視手段として、コンパレータ回路２２ａを用いることにより、簡易かつ安価な構成でありながら、試験電圧が所定電圧範囲を外れたか否かを確実に検出することができる。
【００１９】
なお、本発明は、上記した発明の実施の形態に限定されず、その構成を適宜変更することができる。例えば、監視手段は、コンパレータ回路２２ａに限らず、測定された両端電圧ＶD2をアナログ−ディジタル変換するＡ／Ｄ変換器と、Ａ／Ｄ変換器の出力データに基づいて試験電圧が所定電圧範囲内か否かを判別するＣＰＵとで構成することもできる。また、本発明の実施の形態では、コンパレータ回路２２ａの具体的な構成を省略したが、本発明におけるコンパレータ回路は、任意の公知回路を採用することができる。
【００２０】
また、耐圧試験装置１では、試験電圧異常の際に、スピーカ２６による警報音の放音、および表示部２３の試験状態表示部２３ｃへの表示が行われているが、これに限定されず、いずれか一方または他の任意の報知に代えることができる。さらに、本発明の実施の形態では、試験電圧として交流電圧を試験対象機器２に供給する例について説明したが、直流電圧を供給する場合にも適用することができる。また、本発明の実施の形態では、耐圧試験装置１に適用した例について説明したが、これに限らず、電圧や電流をスライダックで設定する各種の試験装置（測定装置を含む）に適用が可能である。
【００２１】
【発明の効果】
以上のように、請求項１記載の試験装置によれば、規定電圧が設定された際に、制御部がこの規定電圧に対する所定比率の電圧範囲を所定電圧範囲として自動的に設定するため、オペレータは、その所定電圧範囲の設定操作を行うことなく、規定電圧を設定するだけでよく、この後に行われる耐圧試験を迅速に開始することができる。また、試験電圧が所定電圧範囲を外れているときに制御部によって制御させられた報知手段によってその旨が報知されることにより、誤った試験を回避することができる結果、その試験の信頼性を向上させることができる。また、スライダックによる試験電圧の設定時において、試験電圧が正しく設定されたか否かを報知手段による報知に基づいて判断することができる結果、試験電圧の誤設定に起因しての誤った試験を回避することができ、これにより、その試験の信頼性を向上させることができる。
【００２２】
また、請求項２記載の試験装置によれば、規定電圧が設定された際に、制御部がこの規定電圧に対する所定比率の電圧範囲を所定電圧範囲として自動的に設定するため、オペレータは、その所定電圧範囲の設定操作を行うことなく、規定電圧を設定するだけでよく、この後に行われる耐圧試験を迅速に開始することができる。また、試験電圧が所定電圧範囲を外れたときに制御部によって試験対象機器への試験電圧の供給が停止されることにより、誤った試験を回避することができる結果、その試験の信頼性を向上させることができる。
【００２３】
また、請求項３記載の試験装置によれば、試験電圧が所定電圧範囲を所定時間連続して外れたときに制御部によって試験電圧の供給が停止されることにより、試験電圧の不要な供給停止を防止することができる。
【００２４】
また、請求項４記載の試験装置によれば、試験電圧の電圧値を表示する表示部を備えたことにより、オペレータは、報知手段による報知や制御部による試験停止の有無を表示部の表示内容で確実かつ容易に確認することができる。
【図面の簡単な説明】
【図１】  本発明の実施の形態に係る耐圧試験装置１および試験対象機器２のブロック図である。
【図２】  本発明の実施の形態に係る耐圧試験装置１における動作を説明するための耐圧試験開始後の経過時間に対する試験電圧の変動を示す図である。
【図３】  従来の耐圧試験の手順を示すフローチャートである。
【符号の説明】
１  耐圧試験装置
２  試験対象機器
１１  スライダック
１３  リレー
２２  制御部
２２ａ  コンパレータ回路
２３  表示部
２３ｃ  試験状態表示部
２３ｅ  試験電圧状態表示部
２４  操作部
２６  スピーカ
【図１】
0004265703.tif 000002
【図２】
0004265703.tif 000003
【図３】
0004265703.tif 000004